(57)【要約】【課題】バックライト装置に設置する光学フィルムの挿入漏れを効率よく確認することができるバックライト装置を提供する。【解決手段】ハウジング４０は、開口部４４と、支持体開口部４５−１，４５−２，４５−３とを含む。拡散シート５０およびＢＥＦ６０−１，６０−２は、ハウジング４０のフィルム設置面４１に嵌合する大きさに形成されるとともに、それぞれ外側に突き出る突起部５１，６１−１，６１−２を備える。遮光マスク７０には、遮光マスク開口部７１−１，７１−２，７１−３が設けられている。ハウジング４０の支持体開口部４５−１，４５−２，４５−３と遮光マスク開口部７１−１，７１−２，７１−３との間に、それぞれ、拡散シート５０の突起部５１、ＢＥＦ６０−１の突起部６１−１、ＢＥＦ６０−２の突起部６１−２が配置される。【選択図】図１
2007272126.tif 000002
【特許請求の範囲】
【請求項１】
積層された複数の光学フィルムが支持体に嵌合され、前記光学フィルム上に遮光マスクが設けられた液晶表示装置用バックライト装置であって、
前記支持体は、前記複数の光学フィルムと同じ個数の複数の支持体開口部を備え、
前記複数の光学フィルムは、それぞれ前記複数の支持体開口部のいずれか１つと嵌合する突起部を備え、
前記遮光マスクは、前記複数の支持体開口部に対応する遮光マスク開口部を備えた
ことを特徴とする液晶表示装置用バックライト装置。
【請求項２】
突起部は、光学フィルムごとに異なる色が着色された
請求項１記載の液晶表示装置用バックライト装置。
【請求項３】
複数の支持体開口部は、それぞれ支持体の対向する２辺に対して左右非対称となる位置に設けられる
請求項１または請求項２記載の液晶表示装置用バックライト装置。
【発明の詳細な説明】
【技術分野】
【０００１】
本発明は、液晶表示装置用バックライト装置に関し、特に、光学フィルムを備えた液晶表示装置用バックライト装置に関する。
【背景技術】
【０００２】
液晶表示装置に用いられるバックライト装置には、光源として冷陰極管（ＣＦＬ）を用いたものや、発光ダイオード（ＬＥＤ）を用いたものなどがある。バックライト装置には、直下方式やサイドライト方式などがある。直下方式は、バックライトを液晶表示装置の下面に置き、基板の前面を直接照光する方式であり、サイドライト方式は、バックライトを基板の一側面又は両側面に置き、導光板及び反射板などに光を反射して、拡散させる方式である。近年では、直下方式に比べて薄型化が可能なサイドライト方式が主流となっている。
【０００３】
図７は、一般的なバックライト装置の構成例を示す分解斜視図である。図７に示すバックライト装置は、サイドライト方式によるバックライト装置であって、導光板１と、反射板２と、ＦＰＣ(Flexible Printed Circuit)３と、ハウジング４と、拡散シート５と、ＢＥＦ(Brightness Enhancement Film )６−１，６−２と、遮光マスク７とを備える。
【０００４】
導光板１は、所定の側面を光入射面として、光源であるＬＥＤ３１−１，３１−２からの光を平面光源として表面に取り出すための透明部材であって、例えば、透明アクリル樹脂等を射出成型することによって生成される。点状の光源であるＬＥＤ３１−１，３１−２からの光は、所定の光入射面から導光板１の内部へ進入し、導光板１の表面と底面との間で反射を繰り返して導光板１の内部を伝播する。導光板１内を伝播した光は、導光板の底面に形成された拡散反射パターンにより拡散反射され、表面から出射して液晶表示装置を照射する。
【０００５】
導光板１の底面側には、導光板１の底面に漏れた光を表面に反射する反射板２が設けられる。反射板２は、枠状の両面粘着テープ等でハウジング４に固定される。
【０００６】
ＦＰＣ３は、ＬＥＤ３１−１，３１−２、ＺＤ(Zenner diode)３２−１，３２−２およびコネクタ３３が接続される配線基板である。ＬＥＤ３１−１，３１−２は、液晶表示装置に照射光を照射するための光源であって、導光板４の所定の側面に配置される。ＺＤ３２−１，３２−２は、電圧安定化のための電解コンデンサである。
【０００７】
導光板１の表面側には、拡散シート５、ＢＥＦ６−１，６−２および遮光マスク７が設けられている。拡散シート５は、光を拡散して均一化し、輝度のむらを低減するための光学フィルムである。ＢＥＦ６−１，６−２は、ランプの発光量を効率よく利用し、輝度を向上するための光学フィルムであって、三角形状や蒲鉾形状等のプリズムを有する。遮光マスク７は、液晶表示装置の表示エリアだけに光を照射するための開口部を有する遮光性の粘着シートであって、ＢＥＦ６−２の上からハウジング４に固定される。
【０００８】
ハウジング４は、例えば、白色ポリカーボネート等の合成樹脂で生成される枠状の支持体である。
【０００９】
ＢＥＦ６−１と６−２とは、それぞれのプリズムが互いに垂直となるように配置され、輝度や視野角度が最適になるように調整される。また、拡散シート５やＢＥＦ６−１，６−２は、ほぼ透明であって表裏や向きを見分けることが困難である。したがって、フィルムの入れ忘れや、表裏の間違いを防止することが重要となる。
【００１０】
液晶表示装置のバックライトユニットの組立工程において、レンズシートの誤挿入を防止し、かつユニット組立後にも誤挿入を確認できるバックライトユニットが提供されている（例えば、特許文献１参照。）。特許文献１に記載されたバックライトユニットは、バックライト実装部品を支持する支持体に設けられた切り欠き部に、レンズシートの画角外に設けられた耳部を収納することにより、バックライトユニットの完成後であってもレンズシートの枚数や挿入順を目視確認することができる。
【００１１】
【特許文献１】特開平１１−３５２４７６号公報（段落００１５−００１６）
【発明の開示】
【発明が解決しようとする課題】
【００１２】
しかし、特許文献１に記載された方式では、切り欠き部が遮光マスクで被覆された場合、フィルムの有無を確認することができないという問題がある。
【００１３】
そこで、本発明は、バックライト装置に設置する光学フィルムの挿入漏れを効率よく確認することができる液晶表示装置用バックライト装置を提供することを目的とする。
【課題を解決するための手段】
【００１４】
本発明による態様１は、積層された複数の光学フィルムが支持体に嵌合され、光学フィルム上に遮光マスクが設けられた液晶表示装置用バックライト装置であって、支持体は、複数の光学フィルムと同じ個数の複数の支持体開口部を備え、複数の光学フィルムは、それぞれ複数の支持体開口部のいずれか１つと嵌合する突起部を備え、遮光マスクは、複数の支持体開口部に対応する遮光マスク開口部を備えたことを特徴とする液晶表示装置用バックライト装置を提供する。
【００１５】
本発明による態様２では、突起部は、光学フィルムごとに異なる色が着色された液晶表示装置用バックライト装置を提供する。態様２によれば、バックライト装置を一見しただけで各光学フィルムの有無を確認することができる。
【００１６】
本発明による態様３では、複数の支持体開口部は、それぞれ支持体の対向する２辺に対して左右非対称となる位置に設けられる液晶表示装置用バックライト装置を提供する。態様３によれば、各光学シートの表裏を逆にして積層することを防止することができる。
【発明の効果】
【００１７】
本発明によれば、バックライト装置の表面側からも裏面側からも拡散シートおよびＢＥＦの有無を確認することができるため、確認作業の効率が向上する。突起部をそれぞれ判別可能に着色することにより、目視確認がさらに容易になる。また、支持体開口部をそれぞれ対向する２辺に対して左右対称とならない位置に設置するため、拡散シートおよびＢＥＦの表裏を逆にして積層することを防止することができる。
【発明を実施するための最良の形態】
【００１８】
以下、本発明の実施の一形態を図面を参照して説明する。図１は、本発明による液晶表示装置用バックライト装置の構成例を示す分解斜視図である。図１に示すバックライト装置は、導光板１と、反射板２と、ＦＰＣ３とを備える。また、ハウジング４０と、拡散シート５０と、ＢＥＦ６０−１，６０−２と、遮光マスク７０とを備える。なお、図７に示す一般的なバックライト装置と同様の構成部については、図７と同一の符号を付し、説明を省略する。
【００１９】
ハウジング４０は、バックライト実装部品を支持する枠状の支持体であって、開口部４４と、支持体開口部４５−１，４５−２，４５−３とを含む。
【００２０】
図２は、ハウジング４０の構成例を示す斜視図である。図２に示すように、ハウジング４０は、フィルム設置面４１と、パネル設置面４２と、側壁４３とを備える。また、開口部４４がフィルム設置面４１の内部に設けられている。さらに、パネル設置面４２の内部に、支持体開口部４５−１，４５−２，４５−３が設けられている。なお、図２には、支持体開口部４５−１，４５−２，４５−３が並んで開口されている場合を例示しているが、並んでいる必要はない。ただし、それぞれの支持体開口部は、対向する２つの辺において左右対称にならない位置に形成される。
【００２１】
開口部４４に導光板１が嵌合され、フィルム設置面４１を支持面として拡散シート５０およびＢＥＦ６０−１，６０−２が積層される。その上から、パネル設置面４２を支持面として、枠状の遮光マスク７０が固定される。さらにその上から、側壁４３に液晶表示装置が嵌合される。
【００２２】
図３は、拡散シート５０およびＢＥＦ６０−１，６０−２の例を示す説明図である。拡散シート５０およびＢＥＦ６０−１，６０−２は、ハウジング４０のフィルム設置面４１に嵌合する大きさに形成されるとともに、それぞれ外側に突出する突起部５１，６１−１，６１−２を備える。なお、図１においては、突起部５１，６１−１の図示を省略した。
【００２３】
拡散シート５０およびＢＥＦ６０−１，６０−２における突起部５１，６１−１，６１−２の位置は、それぞれ支持体開口部４５−１，４５−２，４５−３に対応する位置である。また、突起部５１，６１−１，６１−２は、支持体開口部４５−１，４５−２，４５−３に嵌合する大きさに形成される。
【００２４】
遮光マスク７０は、ＢＥＦ６０−２の上からハウジング４０に固定される遮光性の粘着シートである。遮光マスク７０は、拡散シート５０およびＢＥＦ６０−１，６０−２を覆うことができる大きさであって、ＢＥＦ６０−２の表面側からパネル設置面４２に固定される。
【００２５】
また、遮光マスク７０には、遮光マスク開口部７１−１，７１−２，７１−３が設けられている。遮光マスク開口部７１−１，７１−２，７１−３の位置は、支持体開口部４５−１，４５−２，４５−３に対応する位置であって、大きさは、支持体開口部４５−１，４５−２，４５−３と等しい大きさである。
【００２６】
図４は、液晶表示装置用バックライト装置を図１に示すＡ１−Ａ２の位置で切断したときの断面を示す断面図である。導光板１は、ハウジング４０の開口部４４に嵌合する大きさに形成されている。反射板２は、導光板１を覆うことができる大きさであって、導光板１の底面側からハウジング４０に枠状の粘着テープ等で固定される。また、拡散シート５０およびＢＥＦ６０−１，６０−２は、フィルム設置面４１に嵌合する大きさに形成され、フィルム設置面４１を支持面として嵌合されて積層される。その上から、パネル設置面４２を支持面として、遮光マスク７０が貼り付けられる。また、拡散シート５０の突起部５１が、支持体開口部４５−１を覆っている。
【００２７】
図４に示すように、ハウジング４０の支持体開口部４５−１と、遮光マスク開口部７１−１とが重なる位置にあって、それぞれの間に拡散シート５０の突起部５１が設けられる。
【００２８】
なお、図４では、液晶表示装置用バックライト装置をＡ１−Ａ２の位置で切断した場合を例示したが、支持体開口部４５−２，４５−３を通る部分で切断した場合も、同様の構成である。
【００２９】
図５は、液晶表示装置用バックライト装置の正面図である。開口部４４には、導光板１が嵌合され、その上からフィルム設置面４１を支持面として、拡散シート５０およびＢＥＦ６０−１，６０−２が積層される。また、導光板１の底面側から、反射板２が固定される。ハウジング４０の支持体開口部４５−１と遮光マスク開口部７１−１との間に拡散シート５０の突起部５１が配置され、支持体開口部４５−２と遮光マスク開口部７１−２との間にＢＥＦ６０−１の突起部６１−１が配置され、支持体開口部４５−３と遮光マスク開口部７１−３との間にＢＥＦ６０−２の突起部６１−２が配置される。
【００３０】
次に、拡散シート５０およびＢＥＦ６０−１，６０−２の確認方法について説明する。拡散シート５０およびＢＥＦ６０−１，６０−２の有無を確認するには、バックライト装置の表面から、遮光マスク開口部７１−１，７１−２，７１−３を目視することにより、それぞれ、拡散シート５０の突起部５１、ＢＥＦ６０−１，６０−２の突起部６１−１，６１−２があるか否かを確認すればよい。バックライト装置の裏面から、支持体開口部４５−１，４５−２，４５−３を目視してもよい。
【００３１】
また、遮光マスク開口部７１−１，７１−２，７１−３だけでなく、ハウジング４０に支持体開口部４５−１，４５−２，４５−３が設けられ、それぞれの間に突起部５１，６１−１, ６１−２が配置されることから、遮光マスク開口部７１−１，７１−２，７１−３と対応する支持体開口部４５−１，４５−２，４５−３とを透過する光によって、それぞれ、拡散シート５０およびＢＥＦ６０−１，６０−２の有無を確認可能な光センサ等を用いることもできる。
【００３２】
また、突起部５１，６１−１，６１−２を、それぞれ判別可能に着色してもよい。図６は、拡散シート５０およびＢＥＦ６１−１，６１−２の例を示す説明図である。図６に示すように、例えば、拡散シート５０の突起部５１には赤を着色し、ＢＥＦ６０−１の突起部６１−１には青を着色し、ＢＥＦ６０−２の突起部６１−２には黄を着色しておくことにより、バックライト装置を一見しただけで拡散シート５０およびＢＥＦ６０−１，６０−２の有無を確認することができる。
【００３３】
以上に説明したように、本実施の形態によれば、バックライト装置のハウジング４０に支持体開口部４５−１，４５−２，４５−３が設けられるとともに、遮光マスク開口部７１−１，７１−２，７１−３が設けられ、それぞれの間に突起部５１，６１−１, ６１−２が挟み込まれることから、バックライト装置の表面側からも裏面側からも拡散シートおよびＢＥＦの有無を確認することができ、効率よく確認作業を行うことができる。また、突起部５１，６１−１，６１−２を、それぞれ判別可能に着色することにより、目視確認がさらに容易になる。
【００３４】
また、ハウジング４０の支持体開口部４５−１，４５−２，４５−３が、それぞれ対向する２辺に対して左右対称とならない位置に設置されるので、拡散シート５０およびＢＥＦ６０−１，６０−２の表裏を逆にして積層することを防止することができる。
【００３５】
なお、本実施の形態では、支持体開口部４５−１，４５−２，４５−３，遮光マスク開口部７１−１，７１−２，７１−３、突起部５１，６１−１，６１−２が、それぞれ矩形である場合を例示したが、その他の形状であってもよい。
【産業上の利用可能性】
【００３６】
本発明は、液晶表示装置用バックライト装置に適用でき、特に、光学フィルムを備えた液晶表示装置用バックライト装置に効果的に適用できる。
【図面の簡単な説明】
【００３７】
【図１】本発明による液晶表示装置用バックライト装置の構成例を示す分解斜視図。
【図２】ハウジングの構成例を示す斜視図。
【図３】拡散シートおよびＢＥＦの例を示す説明図。
【図４】液晶表示装置用バックライト装置の断面を示す断面図。
【図５】液晶表示装置用バックライト装置の正面図。
【図６】拡散シートおよびＢＥＦの例を示す説明図。
【図７】一般的なバックライト装置の構成例を示す分解斜視図。
【符号の説明】
【００３８】
１                  導光板
２                  反射板
３                  ＦＰＣ
３１−１，３１−２  ＬＥＤ
３２−１，３２−２  ＺＤ
３３                コネクタ
４０                ハウジング
４４                開口部
４５−１〜４５−３  支持体開口部
５０                拡散シート
６０−１，６０−２  ＢＥＦ
７０                遮光マスク
７１−１〜７１−３  遮光マスク開口部
【図１】
2007272126.tif 000003
【図２】
2007272126.tif 000004
【図３】
2007272126.tif 000005
【図４】
2007272126.tif 000006
【図５】
2007272126.tif 000007
【図６】
2007272126.tif 000008
【図７】
2007272126.tif 000009